(57)【要約】      （修正有）【課題】屋上面への配置が容易であり、苔の育成に適した苔育成用ブロックを提供する。【解決手段】瓦材、パーライト、石膏、高炉水砕スラグ及び発泡ガラスからなる群の少なくともいずれか一つにより構成した砕石１２や砂１３及び酸化アルミニウムを含む低アルカリ性であるセメント１４を混合したセメント組成物を加圧成型して、上面に凹部１１を有する矩形の皿状に形成した苔育成用ブロック１であり、苔育成用ブロック１を屋上面に固着せずに並置し苔育成用ブロック１の凹部１１内に苔植生基盤を配置している。【選択図】図２
2012235711.tif 000002
【特許請求の範囲】
【請求項１】
砕石、砂及びセメントを混合したセメント組成物を加圧成型して、
上面に凹部を有する矩形の皿状に形成した、
苔育成用ブロック。
【請求項２】
請求項１に記載の苔育成用ブロックにおいて、前記砕石は瓦材、パーライト、石膏、高炉水砕スラグ及び発泡ガラスからなる群の少なくともいずれか一つにより構成することを特徴とする、苔育成用ブロック。
【請求項３】
請求項１又は請求項２に記載の苔育成用ブロックにおいて、前記セメントは酸化アルミニウムを含む低アルカリ性セメントであることを特徴とする、苔育成用ブロック。
【請求項４】
請求項１乃至請求項３のいずれか一項に記載の苔育成用ブロックを用いた屋上緑化構造であって、
複数の前記苔育成用ブロックを屋上面に固着せずに並置し、
前記苔育成用ブロックの前記凹部内に苔植生基盤を配置することを特徴とする、
屋上緑化構造。
【発明の詳細な説明】
【技術分野】
【０００１】
本発明は、屋上緑化に用いる苔育成用ブロック及びそれを用いた屋上緑化構造に関するものである。
【背景技術】
【０００２】
近年、地球規模の気候の変化が顕著になり、環境問題が重視されるようになってきている。特に、ＣＯ２排出量増加に伴う地球温暖化やヒートアイランド化は大きな社会問題となっている。
地球温暖化・ヒートアイランド化対策の一つとしてビル等の建造物の屋上や壁面の緑化を推進し、ＣＯ２吸収源の拡大・冷暖房エネルギーの低減が図られている。
【０００３】
最近は、施工後の管理が不要な、苔を用いた緑化が広く行われている。
苔を用いた屋上緑化構造としては、断熱パネルの上面に苔を植生した基盤材を取り付けて苔植生パネルを形成し、苔植生パネルを屋上面に敷設した構造が用いられている（図６）。
【発明の概要】
【発明が解決しようとする課題】
【０００４】
しかし、この構造には以下のような問題があった。
（１）苔植生パネルは軽量であるため、風で飛ばされるのを防ぐために屋上面に接着する必要がある。
（２）屋上面は塗膜やシートによる防水処理が行われており、接着の際に接着材により塗膜やシートが浸食され、防水性能に影響を及ぼす可能性がある。
（３）苔植生パネルを屋上面に接着する作業が必要となる。
（４）苔植生パネルは屋上面に接着するため、屋上面のメンテナンスの際に取り外すことが困難である。
【０００５】
本発明は、屋上面への配置が容易であり、苔の育成に適した苔育成用ブロック及びそれを用いた屋上緑化構造を提供することを目的とする。
【課題を解決するための手段】
【０００６】
上記目的を達成するためになされた本願の第１発明は、砕石、砂及びセメントを混合したセメント組成物を加圧成型して、上面に凹部を有する矩形の皿状に形成した、苔育成用ブロックを提供する。
本願の第２発明は、第１発明の苔育成用ブロックにおいて、前記砕石は瓦材、パーライト、石膏、高炉水砕スラグ及び発泡ガラスからなる群の少なくともいずれか一つにより構成することを特徴とする、苔育成用ブロックを提供する。
本願の第３発明は、第１発明又は第２発明の苔育成用ブロックにおいて、前記セメントは酸化アルミニウムを含む低アルカリ性セメントであることを特徴とする、苔育成用ブロックを提供する。
本願の第４発明は、第１発明乃至第３発明のいずれかの苔育成用ブロックを用いた屋上緑化構造であって、複数の前記苔育成用ブロックを屋上面に固着せずに並置し、前記苔育成用ブロックの前記凹部内に苔植生基盤を配置することを特徴とする、屋上緑化構造を提供する。
【発明の効果】
【０００７】
本発明は、上記した課題を解決するための手段により、次のような効果の少なくとも一つを得ることができる。
（１）苔育成用ブロックは、骨材として砕石を用いたセメント組成物により形成するため、透水性、吸水性が高い。
（２）セメント組成物を加圧成型して皿状にするため焼成が不要であり、安価に製造することができる。
（３）砕石に瓦材、パーライト、石膏、高炉水砕スラグ、発泡ガラス等のリサイクル材を用いることにより、資源を再利用し、安価に製造することができる。
（４）セメントに酸化アルミニウムを含む低アルカリ性セメントを用いることにより、アルカリ部を調整し、苔の植生を妨げない育成用ブロックとなる。
（５）苔育成ブロックはセメント組成物からなるため、重量があり、屋上面に固着せずに載置しても風で飛ばされることがない。
（６）屋上面に固着する必要がないため、接着材により屋上面の防水性能が低下することがない。
（７）屋上面に固着する必要がないため、屋上面のメンテナンスの際にも容易に取り外すことができる。
【図面の簡単な説明】
【０００８】
【図１】本発明の苔育成用ブロックの斜視図
【図２】本発明の苔育成用ブロックの断面図
【図３】本発明の屋上緑化構造の説明図
【図４】本発明の屋上緑化構造に用いる苔植生基盤の説明図
【図５】その他の実施例に係る屋上緑化構造の説明図
【図６】従来の屋上緑化構造の説明図
【発明を実施するための形態】
【０００９】
以下、図に示す実施例に基づき、本発明を詳細に説明する。
【実施例１】
【００１０】
［１］苔育成用ブロックの構成
本発明の苔育成用ブロック１は、平面視矩形であり、上面に凹部１１を形成した皿状のブロック体である。（図１）
苔育成用ブロック１は、凸部１１に苔植生基盤２を配置して使用するものである。
【００１１】
（１）苔育成用ブロックの材料
苔育成用ブロック１は、骨材である砕石１２、砂１３と、セメント１４を混合したセメント組成物からなり、加圧成型して形成する。（図２）
【００１２】
（１−１）砕石
砕石は、天然砕石または人工砕石であり、径は１．５ｍｍ〜１０ｍｍである。
人工砕石は、瓦粉砕品やパーライト、廃石膏、高炉水砕スラグ、発泡ガラスのいずれかからなる。これらはいずれもリサイクル材である。リサイクル材を用いるため、資源を再利用し、安価に苔育成用ブロックを製造することができる。
砕石を混入することにより、透水・吸水性を有する苔育成用ブロック１とすることができる。また、苔育成用ブロック１の表面を平滑化することができる。
【００１３】
（１−２）砂
苔育成用ブロック１は、砕石の他にも骨材として砂を混入する。
砂は天然砂でもよいし人工砂でもよい。
砂を混入することにより、苔育成用ブロック１の強度を増大できる。
砂は、砕石１００重量部に対し１０〜５０重量部とする。
砂の混入量を調整することにより、苔育成用ブロック１の透水・吸水性の調節や表面の平滑化・粗面化ができ、苔の育成を最適にすることができる。
【００１４】
（１−３）セメント
セメントには通常のポルトランドセメントの他、酸化アルミニウム（アルミナ）を含む低アルカリ性セメント（アルミナセメント）を用いる。
本発明の苔育成用ブロックは、皿の内部に苔植生基盤を配置して使用するが、低アルカリ性セメントを用いる事により通常のポルトランドセメントに比べてアルカリ性が抑制され、苔の育成を妨げることがない。
セメントは、砕石１００重量部に対し１０〜５０重量部とする。
【００１５】
（２）苔育成用ブロックの成型
苔育成ブロック１は、砕石、砂及びセメントを混合したセメント組成物を型枠内に充填し、加圧成型機により７０〜１２０ｋｇ／ｃｍ２の圧縮力を加えた後に即時脱型し、蒸気養生により成型する。
苔育成ブロック１はセメント組成物からなるため、セラミックレンガのように焼成する必要が無く、安価に量産が可能である。
【実施例２】
【００１６】
次に苔育成用ブロック１を用いた屋上緑化構造を説明する。
【００１７】
［２］屋上緑化構造の構成
本発明の屋上緑化構造は、苔育成用ブロック１を複数並置し、苔育成用ブロック１の凹部１１内に苔育成基盤２を配置したものである。（図３）
苔育成用ブロック１は透水・吸水性が高いため、降雨時に凹部１１に水が貯留して、苔育成基盤２に悪影響を及ぼすことがない。
【００１８】
（１）苔育成用ブロックの載置
苔育成用ブロック１は、屋上面に載置するが、接着材やアンカーによる屋上面への固着はしない。苔育成ブロック１はセメント組成物からなるため、重量があり、屋上面に固着せずに載置しても風で飛ばされることがない。
屋上面は一般的に、塗膜やシートによる防水処理が行われているため、接着材を用いると塗膜やシートが浸食されたり、アンカーにより塗膜やシートを破損することにより、防水性能に影響を及ぼす可能性がある。
しかし、本発明の屋上緑化構造の苔育成用ブロック１は、接着材やアンカーによる固着を行わないため、屋上面の防水性能が低下することがない。
また、屋上面に固着する必要がないため、屋上面のメンテナンスの際にも容易に取り外すことができる。
苔育成用ブロック１は平面視矩形の板体であるため、隣りあう苔育成用ブロックの側辺どうしを合わせることにより、容易に整列することができる。
【００１９】
（２）苔育成基盤
苔育成基盤２は、苔育成用ブロック１の凹部１１に接着して配置する。
苔育成基盤２は、立体ネットからなる基盤材２１と、保水基盤２２、基盤材２１及び保水基盤２２の表面に植生したスナゴケやハイゴケ等の苔植物２３とからなる。（図４）
苔植物２３は根といわれる導通組織がなく、必要な水分や養分を植物体表面から吸収するため、土壌を用いずに植生できる。よって、苔育成基盤２は軽量である。
【００２０】
（２−１）基盤材
基盤材２１は、不織布２１１にポリエステル製の立体ネット２１２を熱癒着させたものである。立体ネット２１２により保水基盤２２や苔植物２３を保持するため、保水基盤２２や苔植物の雨水による流亡を防止する。
【００２１】
（２−２）保水基盤
保水基盤２２は、ペーパースラッジ、水、糊等からなり、これらを混合したものを基盤材２１に吹き付けて構成する。
保水基盤２２はペーパースラッジを含むため、保水性を有する。このため、基盤材２１の不織布２１１や、苔育成用ブロック１と合わせた保水効果により、苔植物の枯れ死を防ぐとともに、気化潜熱によるヒートアイランド化の抑制や、ダム効果によりゲリラ豪雨等の大量の降雨時の屋上からの単位時間当たりの排水量を減少することができる。
【００２２】
［その他実施例］
（１）切り欠き部による排水
上記実施例においては、苔育成用ブロック１の底面は平板状としたが、底面の側辺に沿って、切り欠き部１５を設けてもよい。
苔育成用ブロック１を屋上面に載置した際に、切り欠き部１５が排水空間として作用し、多量の降雨時にも効率よく排水される。
【００２３】
（２）苔育成用ブロックの目地部
また、苔育成用ブロック１の、上面の側辺を切り欠き、目地部１６を設けてもよい。
目地部１６を設けて、金属や樹脂等からなる目地部材３により、隣接する苔育成用ブロック１の結合部分を上部から抑えることにより、苔育成用ブロック１の浮き上がりを防止できる。
【符号の説明】
【００２４】
１        苔育成用ブロック
１１      凹部
１２      砕石
１３      砂
１４      セメント
１５      切り欠き部
１６      目地部
２        苔育成基盤
２１      基盤材
２１１    不織布
２１２    立体ネット
２２      保水基盤
２３      苔植物
３        目地部材
【図１】
2012235711.tif 000003
【図２】
2012235711.tif 000004
【図３】
2012235711.tif 000005
【図４】
2012235711.tif 000006
【図５】
2012235711.tif 000007
【図６】
2012235711.tif 000008